(57)【要約】【課題】映像信号の入力ソースが切り換わったときに行われる映像表示のための調整をユーザが手作業で行わなくてもよいようにする。【解決手段】映像表示装置１１は、外部装置としての映像再生装置からその映像再生装置に関する装置関連情報を取得し、取得された装置関連情報に基づいて、特定の外部装置が接続されていることを検出し、特定の外部装置が接続されていることが検出されたときに、表示手段に映像を表示させるための表示調整値を特定の外部装置に特有の特有表示調整値に切り換える。【選択図】図３
2008033138.tif 000002
【特許請求の範囲】
【請求項１】
映像を表示する表示手段を有し、外部装置から入力する入力映像信号を処理することによって、前記表示手段に映像を表示させる映像信号処理装置であって、
前記外部装置から、該外部装置に関する装置関連情報を取得する装置関連情報取得手段と、
該装置関連情報取得手段により取得された前記装置関連情報に基づいて、特定の前記外部装置が接続されていることを検出する装置検出手段と、
該装置検出手段によって、特定の前記外部装置が接続されていることが検出されたときに、前記表示手段に映像を表示させるための表示調整値を特定の前記外部装置に特有の特有表示調整値に切り換える調整値切換手段とを有することを特徴とする映像信号処理装置。
【請求項２】
前記入力映像信号を判別する映像信号判別手段を更に有し、
前記調整値切換手段は、前記映像信号判別手段の判別結果に応じて前記表示調整値を切り換えることを特徴とする請求項１記載の映像信号処理装置。
【請求項３】
前記調整値切換手段によって前記表示調整値が切り換えられたときに、前記表示調整値が切り換えられたことを示す切換メッセージを前記表示手段に表示させるメッセージ表示制御手段を更に有することを特徴とする請求項１または２記載の映像信号処理装置。
【請求項４】
前記調整値切換手段によって前記表示調整値が切り換えられたときに、前記特有調整値に基づいて、前記表示手段に特定の前記外部装置に特有の映像表示を行わせる映像表示制御手段を更に有することを特徴とする請求項１〜３のいずれか一項記載の映像信号処理装置。
【請求項５】
前記調整値切換手段によって前記表示調整値が切り換えられたときに、特定の前記外部装置の特徴、機能その他の特定外部装置情報を表示させる外部装置情報表示制御手段を更に有することを特徴とする請求項１〜４のいずれか一項記載の映像信号処理装置。
【請求項６】
前記調整値切換手段によって前記表示調整値を切り換えるか否かを設定する設定手段と、
該設定手段の設定内容に応じて、前記調整値切換手段が前記表示調整値を切り換えるように制御する制御手段とを更に有する請求項１〜５のいずれか一項記載の映像信号処理装置。
【請求項７】
音声を出力する音声出力手段を更に有し、
前記調整値切換手段は、特定の前記外部装置が接続されていることが検出されたときに、前記音声出力手段に音声を出力させるための音声調整値を特定の前記外部装置に特有の特有音声調整値に切り換えることを特徴とする請求項１〜６のいずれか一項記載の映像信号処理装置。
【請求項８】
記録媒体に記録されているデジタルデータを読み取って映像信号を再生する映像信号再生手段を有し、該映像信号再生手段により再生された前記映像信号を出力する映像信号処理装置であって、
外部装置から、該外部装置に関する装置関連情報を取得する装置関連情報取得手段と、
該装置関連情報取得手段により取得された前記装置関連情報に基づいて、特定の前記外部装置が接続されていることを検出する装置検出手段と、
該装置検出手段によって特定の前記外部装置が接続されていることが検出されたときに、前記映像信号を特定の前記外部装置に応じて切り換える映像信号切換手段とを有することを特徴とする映像信号処理装置。
【請求項９】
映像を表示する表示手段を有し、外部装置から入力する入力映像信号を処理することによって、前記表示手段に映像を表示させる映像信号処理装置における映像信号処理方法であって、
前記外部装置から、該外部装置に関する装置関連情報を取得し、
取得された前記装置関連情報に基づいて、特定の前記外部装置が接続されていることを検出し、
特定の前記外部装置が接続されていることが検出されたときに、前記表示手段に映像を表示させるための表示調整値を特定の前記外部装置に特有の特有表示調整値に切り換えることを特徴とする映像信号処理方法。
【発明の詳細な説明】
【技術分野】
【０００１】
本発明は、映像信号を処理するテレビ、プロジェクタ、モニタ、光ディスク再生装置などの映像信号処理装置および映像信号処理装置による映像信号処理方法に関する。
【背景技術】
【０００２】
従来から、放送波を受信して再生される映像信号または外部から入力される映像信号を用いて映像を表示するテレビ、プロジェクタ、モニタといった映像表示装置が知られている。また、ＤＶＤ（digital versatile Disk），ＨＤＤ（Hard Disk Drive）等の記録媒体に記録されているデジタルデータを読み取って映像信号を再生し、その再生された映像信号を映像表示装置に出力する映像再生装置も知られている。
【０００３】
例えば、特許文献１には、接続される映像表示装置の映像フォーマットを自動的に判別してメニュー画面上に表示する映像信号出力装置が開示されている。
【特許文献１】特開２００５−１６７８９５公報
【発明の開示】
【発明が解決しようとする課題】
【０００４】
近年、映像表示装置や映像再生装置は、それぞれ多様な機種が実用化されるにいたっている。それに伴い、１つの映像表示装置に対して映像を再生する規格や方式の異なる複数の映像再生装置が接続される機会や、１つの映像再生装置に対して映像を表示する方式や画面サイズの異なる複数の映像表示装置が接続される機会も次第に増えてきている。
【０００５】
しかし、従来の映像表示装置や映像再生装置といった映像信号を処理する映像信号処理装置では、映像信号の入力ソースが切り換わり、映像表示のための調整が必要なときに、ユーザがその調整を映像表示装置において手作業で行わねばならなかった。
【０００６】
例えば、映像表示装置に接続される外部の映像再生装置が映像信号処理の規格や方式の異なる機種に切り換えられた場合や、チューナで受信して再生される映像信号が映像再生装置から入力される映像再生信号に切り換えられて映像が表示されるような場合において、映像表示のための調整が必要なときは、その調整をユーザが映像表示装置において手作業で行わねばならなかった。
【０００７】
そこで、本発明は上記課題を解決するためになされたもので、映像信号処理装置および映像信号処理方法において、映像信号の入力ソースが切り換わったときに必要とされる映像表示のための調整をユーザが手作業で行わなくてもよいようにすることを目的とする。
【課題を解決するための手段】
【０００８】
上記課題を解決するため、本発明は、映像を表示する表示手段を有し、外部装置から入力する入力映像信号を処理することによって、表示手段に映像を表示させる映像信号処理装置であって、外部装置から、その外部装置に関する装置関連情報を取得する装置関連情報取得手段と、その装置関連情報取得手段により取得された装置関連情報に基づいて、特定の前記外部装置が接続されていることを検出する装置検出手段と、その装置検出手段によって、特定の外部装置が接続されていることが検出されたときに、表示手段に映像を表示させるための表示調整値を特定の外部装置に特有の特有表示調整値に切り換える調整値切換手段とを有する映像信号処理装置を特徴とする。
【０００９】
また、本発明は、記録媒体に記録されているデジタルデータを読み取って映像信号を再生する映像信号再生手段を有し、その映像信号再生手段により再生された映像信号を出力する映像信号処理装置であって、外部装置から、その外部装置に関する装置関連情報を取得する装置関連情報取得手段と、その装置関連情報取得手段により取得された装置関連情報に基づいて、特定の外部装置が接続されていることを検出する装置検出手段と、その装置検出手段によって特定の外部装置が接続されていることが検出されたときに、映像信号を特定の外部装置に応じて切り換える映像信号切換手段とを有する映像信号処理装置を提供する。
【００１０】
さらに、本発明は、映像を表示する表示手段を有し、外部装置から入力する入力映像信号を処理することによって、表示手段に映像を表示させる映像信号処理装置における映像信号処理方法であって、外部装置から、その外部装置に関する装置関連情報を取得し、取得された装置関連情報に基づいて、特定の前記外部装置が接続されていることを検出し、特定の外部装置が接続されていることが検出されたときに、表示手段に映像を表示させるための表示調整値を特定の外部装置に特有の特有表示調整値に切り換える映像信号処理方法を提供する。
【発明の効果】
【００１１】
以上詳述したように、本発明によれば、映像信号処理装置および映像信号処理方法において、映像信号の入力ソースが切り換わったときに必要とされる映像表示のための調整をユーザが手作業で行わなくてもよいようにすることができる。
【発明を実施するための最良の形態】
【００１２】
以下、本発明の実施の形態について説明する。なお、同一要素には同一符号を用い、重複する説明は省略する。
【００１３】
図１は、本発明の実施の形態に係るデジタル放送受信装置１１と、デジタル放送受信装置１１を中心として構成されるネットワークシステム１００の構成を示すブロック図である。
【００１４】
デジタル放送受信装置１１は、図１に示すように、キャビネット１２と、キャビネット１２を起立させて支持する支持台１３とを有している。キャビネット１２は、液晶表示パネルを備えた平面パネル型の液晶表示装置１４と、音声を出力する音声出力手段としてのスピーカ１５と、操作部１６とを有し、また、リモートコントローラ１７から送信される操作情報を受ける受光部１８を有している。
【００１５】
デジタル放送受信装置１１は、映像を表示する表示手段としての液晶表示装置１４によって映像を表示することが可能な映像表示装置であって、後述するＤＶＤレコーダ２９から入力する入力映像信号を用いて映像を表示する映像信号処理装置としての機能を有している。
【００１６】
デジタル放送受信装置１１は、例えばＳＤ（Secure Digital）メモリカード、ＭＭＣ（Multi media Card）及びメモリスティック等のメモリカード１９が着脱可能となっており、このメモリカード１９を用いて番組や写真等の記録再生が行なわれるようになっている。
【００１７】
そして、デジタル放送受信装置１１は、ＬＡＮ（Local Area Network）端子２１、ＨＤＭＩ（High-Definition Multimedia Interface）端子２２、ＵＳＢ（Universal Serial Bus）端子２３及びｉ．Link端子２４を備えている（ｉ．Link、ＨＤＭＩは登録商標）。
【００１８】
ＬＡＮ端子２１は、ＬＡＮ対応ＨＤＤ専用ポートとして使用される。このＬＡＮ端子２１は、接続されたＮＡＳ（Network Attached Storage）としてのＬＡＮ対応ＨＤＤ（Hard Disk Drive）２５に対して、イーサネット（登録商標）により情報の記録再生を行うために使用される。
【００１９】
このように、ネットワークシステム１００では、ＬＡＮ対応ＨＤＤ専用ポートとしてのＬＡＮ端子２１を設けることにより、他のネットワーク環境やネットワーク使用状況等に影響されることなく、ＨＤＤ２５に対してハイビジョン画質による番組の情報記録を安定して行なえるようになっている。
【００２０】
ＨＤＭＩ端子２２は、ＨＤＭＩ規格にしたがって、高精細のデジタル映像信号およびデジタル音声信号の入出力を行うための端子として使用される。このＨＤＭＩ端子２２は、ハブ（Hub）２６およびＨＤＭＩケーブルを介して、ＨＤＤ２７、ＰＣ（Personal Computer）２８およびＨＤＤ内蔵のＤＶＤレコーダ２９が外部装置として接続され、これらの外部装置と情報伝送を行うために使用される。
【００２１】
デジタル放送受信装置１１は、ＨＤＭＩ端子２２によって、映像信号、音声信号および制御信号をデジタルのままで入力できるようになっている。
【００２２】
また、ＨＤＭＩ端子２２はハブ２６に接続されたブロードバンドルータ３１と、インターネット等のネットワーク３２を介してＰＣ３３や携帯電話３４が接続され、ＰＣ３３や携帯電話３４と情報伝送を行うために使用される。
【００２３】
ＵＳＢ端子２３は、一般的なＵＳＢ対応ポートとして使用される。このＵＳＢ端子２３には、ハブ３５を介して、携帯電話３６、デジタルカメラ３７、メモリカードに対するカードリーダ／ライタ３８、ＨＤＤ３９、キーボード４０等のＵＳＢ機器が接続され、これらのＵＳＢ機器と情報伝送を行うために使用される。
【００２４】
ｉ．Link端子２４は、例えばＡＶ−ＨＤＤ４１、Ｄ（Digital）−ＶＨＳ（Video Home System）４２等がシリアル接続され、これらの機器と情報伝送を行うために使用される。
【００２５】
次に、図２を参照してデジタル放送受信装置１１について説明する。図２は、デジタル放送受信装置１１の内部の主要な構成を示すブロック図である。
【００２６】
デジタル放送受信装置１１は、入力端子４４，４９、チューナ４５，５０，５２およびＰＳＫ（Phase Shift Keying）復調器４６を有している。また、デジタル放送受信装置１１は、信号処理部４７、ＯＦＤＭ（Orthogonal Frequency Division Multiplexing）復調器５１、アナログ復調器５３、グラフィック処理部５４、音声処理部５５、ＯＳＤ信号生成部５７および映像処理部５８を有している。
【００２７】
入力端子４４には、ＢＳ／ＣＳデジタル放送受信アンテナ４３で受信した衛星デジタル放送信号が入力される。衛星デジタル放送信号は入力端子４４からチューナ４５に供給される。チューナ４５は衛星デジタル放送用のチューナであって、供給される衛星デジタル放送信号から所望のチャンネルの放送信号を選局する。
【００２８】
このチューナ４５で選局された放送信号はＰＳＫ復調器４６に供給される。ＰＳＫ復調器４６はデジタルの映像信号及び音声信号の復調処理を行い、信号処理部４７に出力する。
【００２９】
入力端子４９には、地上放送受信アンテナ４８で受信した地上デジタル放送信号が入力される。地上デジタル放送信号は入力端子４９からチューナ５０に供給される。チューナ５０は地上デジタル放送用のチューナであって、供給される地上デジタル放送信号から所望のチャンネルの放送信号を選局する。
【００３０】
このチューナ５０で選局された放送信号はＯＦＤＭ復調器５１に供給される。ＯＦＤＭ復調器５１はデジタルの映像信号及び音声信号の復調処理を行い、信号処理部４７に出力する。
【００３１】
また、入力端子４９には、地上放送受信アンテナ４８で受信した地上アナログ放送信号が入力される。地上アナログ放送信号は入力端子４９からチューナ５２に供給される。チューナ５２は地上アナログ放送用のチューナであって、供給される地上アナログ放送信号から、所望のチャンネルの放送信号を選局する。
【００３２】
このチューナ５２で選局された放送信号はアナログ復調器５３に供給される。アナログ復調器５３は、アナログの映像信号及び音声信号の復調処理を行い、信号処理部４７に出力する。
【００３３】
信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力する。
【００３４】
また、信号処理部４７には、複数（図示の場合は４つ）の入力端子５６ａ，５６ｂ，５６ｃ，５６ｄが接続されている。これら入力端子５６ａ〜５６ｄは、外部装置としてのＤＶＤレコーダ２９などから、アナログの映像信号及び音声信号を入力可能とするものである。
【００３５】
そして、この信号処理部４７は、アナログ復調器５３及び各入力端子５６ａ〜５６ｄからそれぞれ供給されたアナログの映像信号及び音声信号を選択的にデジタル化する。また、信号処理部４７は、デジタル化された映像信号及び音声信号に対して所定のデジタル信号処理を施した後、グラフィック処理部５４及び音声処理部５５に出力する。
【００３６】
グラフィック処理部５４は、信号処理部４７から供給されるデジタルの映像信号に、ＯＳＤ（On Screen Display）信号生成部５７で生成されるＯＳＤ信号を重畳して出力する。このグラフィック処理部５４は、信号処理部４７の出力映像信号と、ＯＳＤ信号生成部５７が出力するＯＳＤ信号とを選択的に出力することと、両出力をそれぞれ画面の半分を構成するように組み合わせて出力することとの双方を行える。
【００３７】
グラフィック処理部５４から出力されたデジタルの映像信号は、映像処理部５８に供給される。この映像処理部５８は、入力されたデジタルの映像信号を、液晶表示装置１４で表示可能なフォーマットのアナログ映像信号に変換した後、液晶表示装置１４に出力する。また、映像処理部５８はアナログ映像信号を出力端子５９を介して外部に導出する。
【００３８】
音声処理部５５は、入力されるデジタルの音声信号をスピーカ１５で再生可能なフォーマットのアナログ音声信号に変換した後、スピーカ１５に出力する。また、音声処理部５５は、アナログ音声信号を出力端子６０を介して外部に導出する。
【００３９】
そして、デジタル放送受信装置１１は、制御部６０と、カードホルダ６６および各種インターフェース６５，６９，７０，７１，７２を有している。
【００４０】
制御部６０はＣＰＵ（Central Processing Unit）６１、ＲＯＭ(Read Only Memory)６２、ＲＡＭ（Random  Access  Memory）６３および不揮発性メモリ６４を有している。この制御部６０は、放送信号の受信動作を含むデジタル放送受信装置１１の動作を統括的に制御する。また、制御部６０は、操作部１６からの操作情報を受け、または、リモートコントローラ１７から送出された操作情報を受光部１８を介して受信し、その操作内容が反映されるように各部をそれぞれ制御している。
【００４１】
ＣＰＵ６１は、ＲＯＭ６２に記憶されているプログラムにしたがい本発明の特徴とする各種手段（装置関連情報取得手段、装置検出手段、調整値切換手段など）として作動する一方、他の構成要素との信号の入出力を行い、デジタル放送受信装置１１全体の動作制御を行う。
【００４２】
ＲＯＭ６２は、主としてＣＰＵ６１が実行する制御プログラムを格納している。ＲＡＭ６３は、ＣＰＵ６１に作業エリアを提供する。不揮発性メモリ６４は、各種の設定情報及び制御情報等が格納されている。
【００４３】
そして、制御部６０は、カードＩ／Ｆ（Interface）６５を介して、メモリカード１９が装着可能なカードホルダ６６に接続されている。これによって、制御部６０は、カードホルダ６６に装着されたメモリカード１９と、カードＩ／Ｆ６５を介して情報伝送を行える。
【００４４】
また、制御部６０は、通信Ｉ／Ｆ６９を介してＬＡＮ端子２１に接続されている。これにより、制御部６０は、ＬＡＮ端子２１に接続されたＬＡＮ対応ＨＤＤ２５と、通信Ｉ／Ｆ６９を介して情報伝送を行うことができる。この場合、制御部６０は、ＤＨＣＰ（Dynamic Host Configuration Protocol）サーバ機能を有し、ＬＡＮ端子２１に接続されたＬＡＮ対応ＨＤＤ２５にＩＰ（Internet Protocol）アドレスを割り当てて制御している。
【００４５】
制御部６０は、ＨＤＭＩＩ／Ｆ７０を介してＨＤＭＩ端子２２に接続されている。これにより、制御部６０は、ＨＤＭＩ端子２２に接続されている各外部装置（図１参照）と、ＨＤＭＩＩ／Ｆ７０を介して情報伝送を行うことができる。
【００４６】
また、制御部６０は、ＵＳＢＩ／Ｆ７１を介してＵＳＢ端子２３に接続されている。これにより、制御部６０は、ＵＳＢ端子２３に接続された各外部装置（図１参照）と、ＵＳＢＩ／Ｆ７１を介して情報伝送を行うことができる。
【００４７】
さらに、制御部６０は、ｉ．LinkＩ／Ｆ７２を介してｉ．Link端子２４に接続されている。これにより、制御部６０は、ｉ．Link端子２４に接続された各外部装置（図１参照）と、ｉ．LinkＩ／Ｆ７２を介して情報伝送を行うことができる。
【００４８】
次に、以上の構成を有するデジタル放送受信装置１１の本発明の特徴とする外部装置連動動作の動作内容について説明する。図３は、外部装置連動動作の制御プログラムによる外部装置連動動作の動作手順を示すフローチャートである。
【００４９】
ここで、外部装置連動動作とは、接続される外部装置に連動して、後述する調整値切換えが自動的に行われる動作を意味するものであり、制御部６０が図３に示すフローチャートに沿った動作を行うことにより実現される。
【００５０】
デジタル放送受信装置１１では、ユーザがリモートコントローラ１７を用いた所定の操作（以下「リモコン操作」という）等を事前に行うことによって、外部装置連動動作を行うか否かが設定されるようになっている。デジタル放送受信装置１１は、外部装置連動動作を実行するための設定が行われているときにだけ、外部装置連動動作を行うようになっている。
【００５１】
デジタル放送受信装置１１は、図６に示すような外部装置連動動作に関するメニュー画面８１を液晶表示装置１４に表示させることができる。このメニュー画面８１にしたがい、ユーザが“ＯＮ”を選択すると、ＣＰＵ６１が設定手段としての動作を行い、外部装置連動動作を実行するための設定がなされる（例えば、設定フラグをオンにするなど）ようになっている。
【００５２】
そして、制御部６０のＣＰＵ６１は、映像信号の入力ソースが変わったときに、ＲＯＭ６２に記憶されている外部装置連動動作の制御プログラムを実行する。例えば、リモコン操作によって入力端子を切り換え、チューナ５２で放送波を受信して再生される地上アナログ放送の映像信号をＨＤＭＩ端子２２から入力される映像信号に切り換えて映像を表示しようとする場合である。
【００５３】
上記デジタル放送受信装置１１の場合、接続される外部装置は、ＨＤＤ２７、ＰＣ２８，ＤＶＤレコーダ２９、デジタルカメラ３７等であるが、本実施の形態では、そのうち、ＤＶＤレコーダ２９が本発明における特定の外部装置であることを想定して説明する。ただし、本発明は、ＤＶＤレコーダ２９以外の外部装置が特定の外部装置である場合についても適用することができる。
【００５４】
また、特定の外部装置としてのＤＶＤレコーダ２９は、ＨＤ−ＤＶＤ規格によるＤＶＤレコーダ（以下「ＨＤ−ＤＶＤレコーダ」という）であることを想定しているが、本発明はこれに限定されるものではない。
【００５５】
制御部６０のＣＰＵ６１は、外部装置連動動作の制御プログラムの実行を開始すると、処理をステップ１に進め、外部装置連動作の設定が「オン」になっているか否かを判定する。
【００５６】
ここで、ＣＰＵ６１は、外部装置連動作の設定が「オン」になっているときは、処理をステップ２に進めるが、そうでなければ処理を終了する。以下に説明するステップ２以降の処理で外部装置連動作が実現されるので、ステップ１で処理を切り換えることにより、ＣＰＵ６１は本発明における制御手段としての動作を行っている。
【００５７】
また、ＣＰＵ６１は、処理をステップ２に進めると、装置関連情報取得手段としての動作を行い、外部装置としてのＤＶＤレコーダ２９から、その方式、規格、種別その他のＤＶＤレコーダ２９に関する装置関連情報を取得する。
【００５８】
次に、ＣＰＵ６１は、処理をステップ３に進めると、装置検出手段としての動作を行い、ステップ２で取得された装置関連情報に基づいて、特定の外部装置が接続されたか否かを判定する。
【００５９】
ここで、ＣＰＵ６１は、特定の外部装置が接続されたと判定したときは処理をステップ４に進めるが、そうでなければ処理をステップ７に進める。
【００６０】
また、ＣＰＵ６１は、処理をステップ４に進めると、映像信号判別手段としての動作を行い、ＨＤＭＩ端子２２を介して入力される入力映像信号を判別し、入力映像信号がＨＤ（High-Definition）であるか否かを判定する。ここで、ＣＰＵ６１は、入力映像信号がＨＤであると判定したときは処理をステップ５に進めるが、そうでなければ処理をステップ７に進める。
【００６１】
そして、ＣＰＵ６１は処理をステップ５に進めると、調整値切換手段としての動作を行い、液晶表示装置１４に映像を表示させるための表示調整値（例えば明るさ、色調、色の陰影、色相、彩度といった画質調整用のパラメータ）およびスピーカ１５から音声を出力するための音声調整値（ノイズリダクション、音の方向性といった音質調整用のパラメータ）を、それぞれＤＶＤレコーダ２９に特有の特有表示調整値および特有音声調整値に切り換える（以下この切り換えを「調整値切換」という）。
【００６２】
さらに続いてＣＰＵ６１は、処理をステップ６に進めると、メッセージ表示制御手段としての動作を行い、表示調整値が特有表示調整値に切り換えられたことをユーザに伝えるための切換メッセージ８３を液晶表示装置１４に表示させる。また、ＣＰＵ６１は、映像信号の出力指示を行い、その後外部装置連動動作を終了する。
【００６３】
ステップ６を実行して外部装置連動動作が終了すると、液晶表示装置１４には、図７に示すように、チューナ５２で受信中（“ＯＮ  ＡＩＲ”）であり、放送されていた番組の映像が表示されていたところ、調整値切換えが行われたことにより、図８に示すようにして切換メッセージ８３が表示される。
【００６４】
そして、ＣＰＵ６１は映像信号の出力指示を受けて映像表示制御手段としての動作を行い、信号処理部４７に特有表示調整値に基づくデジタル信号処理を行わせて、ＤＶＤレコーダ２９に特有の高精細の映像を液晶表示装置１４に表示させる。また、ＣＰＵ６１は信号処理部４７に特有音声調整値に基づくデジタル信号処理を行わせて、ＤＶＤレコーダ２９に特有の高音質の音声をスピーカ１５から出力させる。すると、液晶表示装置１４に、例えば図４に示すような映像が表示される。
【００６５】
さらに、ＣＰＵ６１は、外部装置情報表示制御手段としての動作を行い、液晶表示装置１４の表示画面の右上に説明表示８２ａ、右下に説明表示８２ｂをそれぞれ表示させる。
【００６６】
説明表示８２ａは、特定の外部装置としてのＤＶＤレコーダ２９が接続されている端子の表示（“ビデオ１”）、ＨＤ−ＤＶＤのロゴマーク、現在時刻、解像度（１０８０ｉ）、音声出力モード（“スーパーライブ”）といった映像表示や音声出力に関する特性や機能などを表示するものである。
【００６７】
また、説明表示８２ｂには、映像表示、音声出力以外の特徴や機能の説明（例えば、“このＨＤ−ＤＶＤレコーダでは、ＣＤ（Compact Disk）を再生できます”など）が表示される。なお、説明表示８２ａおよび説明表示８２ｂによって、特定外部装置情報が構成されている。
ステップ７では、ＣＰＵ６１が映像信号の出力指示を行い、その後、外部装置連動動作を終了する。
【００６８】
以上のように、デジタル放送受信装置１１は、映像信号の入力ソースを切り換えると、表示調整値が特定の外部装置としてのＤＶＤレコーダ２９に特有の特有表示調整値にユーザの手動操作無しに自動的に切り換えられるようになっている。
【００６９】
そのため、ユーザは、映像信号の入力ソースを切り換えても、表示調整値を自ら設定し直す必要がないので、デジタル放送受信装置１１は、調整や設定に要する煩雑さが解消され、利便性が高められている。
【００７０】
また、表示調整値の切り換えは、入力映像信号の判別結果に応じて行われるので、切り換えられる特有表示調整値を入力映像信号に応じた適切なものにすることができる。映像の表示は特有表示調整値に基づいて行われるので、液晶表示装置１４には、特定の外部装置としてのＤＶＤレコーダ２９に特有の高精細の映像が表示される。
【００７１】
さらに、デジタル放送受信装置１１は、調整値切換えが行われると、そのことを示す切換メッセージ８３が液晶表示装置１４に表示される。そのため、デジタル放送受信装置１１は、調整値切換えが行われたことをユーザに通知でき、そのことをユーザが確実に把握することもできる。
【００７２】
その上、液晶表示装置１４に説明表示８２ａ，８２ｂが表示されるので、特定の外部装置としてのＤＶＤレコーダ２９の特徴、機能そのほかの情報をユーザが画面表示で確認することもできる。
【００７３】
そして、デジタル放送受信装置１１は、調整値切換を行うか否かをユーザが設定でき、その設定にしたがって、調整値切換が実行されるようになっている。したがって、デジタル放送受信装置１１は、調整値切換を行うか否かをユーザが自由に決められるようになっている。
【００７４】
ところで、上記の説明では、デジタル放送受信装置１１において、調整値切換を行い、ユーザが手動で調整し直さなくてもよいようにしていたが、映像再生装置としてのＤＶＤレコーダ２９において、映像信号の切り換えを行ってもよい。
【００７５】
この場合、ＤＶＤレコーダ２９が以下の各手段を有するようにすればよい。すなわち、ＤＶＤレコーダ２９は、接続される外部装置から装置関連情報を取得する装置関連情報取得手段と、その取得された装置関連情報に基づいて、特定の外部装置（例えばデジタル放送受信装置１１）が接続されていることを検出する装置検出手段と、装置検出手段によって特定の外部装置が接続されていることが検出されたときに、出力する映像信号を特定の外部装置に応じて切り換える映像信号切換手段とを有するようにすればよい。
【００７６】
例えば、外部装置として、標準放送（ＳＤ：Standard Definition）の映像を表示する映像表示装置から高精細度テレビジョン放送（ＨＤ：High Definition）の映像を表示する映像表示装置に切り換わった場合に映像信号を切り換え、その切り換えた映像信号を出力すればよい。
【００７７】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００７８】
【図１】本発明の実施の形態に係るデジタル放送受信装置と、デジタル放送受信装置を中心として構成されるネットワークシステムの構成を示すブロック図である。
【図２】デジタル放送受信装置の内部の主要な構成を示すブロック図である。
【図３】外部装置連動動作の動作手順を示すフローチャートである。
【図４】特定の外部装置が接続されている場合に表示される映像の一例を示す図である。
【図５】説明表示の一例を示す図である。
【図６】外部装置連動動作に関するメニュー画面の一例を示す図である。
【図７】放送受信中の映像の一例を示す図である。
【図８】切換メッセージの一例を示す図である。
【符号の説明】
【００７９】
１１…デジタル放送受信装置、１４…液晶表示装置
２７…ＨＤＤ、ＰＣ…２８、２９…ＤＶＤレコーダ
６０…制御部、６１…ＣＰＵ、１００…ネットワークシステム
８１…メニュー画面、８２ａ，８２ｂ…説明表示、８３…切換メッセージ
【図１】
2008033138.tif 000003
【図２】
2008033138.tif 000004
【図３】
2008033138.tif 000005
【図６】
2008033138.tif 000006
【図７】
2008033138.tif 000007
【図８】
2008033138.tif 000008
【図４】
2008033138.tif 000009
【図５】
2008033138.tif 000010